(57)【要約】【課題】電気機器をキャリングケースから取り出すことなく、簡易な操作で電気機器に対して給電可能な給電システムを提供する。【解決手段】ノート型パソコン等の電気機器を収容する機器収容部と、電気機器に供給する電力を受電する受電部１２０を有したケース本体１０１と、受電部が着脱自在に装着される給電台２００と、を備えた給電システム１であって、給電台は、電源に接続される給電端子２０５、及び給電端子への電力を断接するスイッチ２１１を備え、受電部は、給電台に装着されたときにスイッチを作動させて給電端子に通電させる係止ピン１２７、及び給電端子と導通する受電端子１２３を備えたことを特徴とする。【選択図】図３
2018117450.tif 000002
【特許請求の範囲】
【請求項１】
電気機器を収容する機器収容部、及び前記電気機器に供給する電力を受電する受電部を有したキャリングケースと、
前記受電部が着脱自在に装着される給電台と、を備えた給電システムであって、
前記給電台は、電源に接続される給電端子、及び前記給電端子への電力を断接するスイッチを備え、
前記受電部は、前記給電台に装着されたときに前記スイッチを作動させて前記給電端子に通電させる作動手段、及び前記給電端子と導通する受電端子を備えたことを特徴とする給電システム。
【請求項２】
前記給電端子は、前記電源の電圧線に接続される電圧側端子と、前記電源のアース線に接続されるアース側端子とを含み、前記スイッチは少なくとも前記電圧線側を断接することを特徴とする請求項１に記載の給電システム。
【請求項３】
前記給電台と前記受電部の一方は、他方との対向面に設けた出没穴から先端部を出没自在となるように支持された出没突起と、前記出没突起を突出姿勢に弾性付勢する弾性付勢部材と、を備え、
前記給電台と前記受電部の他方に配置されて、着脱過程で前記出没突起を押圧して没入姿勢に変位させる押圧部と、装着完了時に前記先端部を受け容れて前記突出姿勢に維持する受穴と、を備えることを特徴とする請求項１又は２に記載の給電システム。
【請求項４】
前記受電部を前記給電台に装着したときに、前記キャリングケースを厚さ方向に挟む転倒防止手段を備えたことを特徴とする請求項１乃至３の何れか一項に記載の給電システム。
【請求項５】
前記給電台に配置されて前記キャリングケースの着脱方向に沿って伸びるガイド部と、
前記受電部に配置されて前記ガイド部に案内される被ガイド部と、を備えたことを特徴とする請求項１乃至４の何れか一項に記載の給電システム。
【請求項６】
前記キャリングケースの内部に、前記受電端子と導通し、且つ前記電気機器のプラグが接続されるコンセントを備えたことを特徴とする請求項１乃至５の何れか一項に記載の給電システム。
【発明の詳細な説明】
【技術分野】
【０００１】
本発明は、キャリングケースに収容されたノート型のパーソナルコンピュータ等の電気機器に給電することが可能な給電システムに関する。
【背景技術】
【０００２】
ノート型のパーソナルコンピュータ（以下、ノート型パソコンという）を外出先で使用する場合、外出先でＡＣ１００Ｖ電源を確保できなければノート型パソコンを内蔵バッテリーにより駆動する必要がある。内蔵バッテリーを使用した場合には充電する必要があるが、従来はキャリングケースからノート型パソコンを取り出さなければ充電ができず不便であった。
特許文献１には、汎用コンセントを内部に設けたパソコンケースが記載されている。汎用コンセントは外部に設けた電源端子と接続されており、電源端子はＡＣ１００Ｖ電源と接続することができるので、パソコンケースからノート型パソコンを取り出さなくても充電できる。
【先行技術文献】
【特許文献】
【０００３】
【特許文献１】特開２００５−３４２４９３公報
【発明の概要】
【発明が解決しようとする課題】
【０００４】
特許文献１に記載のパソコンケースをＡＣ１００Ｖ電源と接続するには、電源端子に電源ケーブルを接続し、電源ケーブルをＡＣ１００Ｖ電源と接続する必要があり、面倒である。
本発明は上述の事情に鑑みてなされたものであり、電気機器をキャリングケースから取り出すことなく、簡易な操作で電気機器に対して給電可能な給電システムを提供することを目的とする。
【課題を解決するための手段】
【０００５】
上記の課題を解決するために、請求項１に記載の発明は、電気機器を収容する機器収容部、及び前記電気機器に供給する電力を受電する受電部を有したキャリングケースと、前記受電部が着脱自在に装着される給電台と、を備えた給電システムであって、前記給電台は、電源に接続される給電端子、及び前記給電端子への電力を断接するスイッチを備え、前記受電部は、前記給電台に装着されたときに前記スイッチを作動させて前記給電端子に通電させる作動手段、及び前記給電端子と導通する受電端子を備えたことを特徴とする。
【０００６】
請求項２に記載の発明は、前記給電端子は、前記電源の電圧線に接続される電圧側端子と、前記電源のアース線に接続されるアース側端子とを含み、前記スイッチは少なくとも前記電圧線側を断接することを特徴とする。
請求項３に記載の発明は、前記給電台と前記受電部の一方は、他方との対向面に設けた出没穴から先端部を出没自在となるように支持された出没突起と、前記出没突起を突出姿勢に弾性付勢する弾性付勢部材と、を備え、前記給電台と前記受電部の他方に配置されて、着脱過程で前記出没突起を押圧して没入姿勢に変位させる押圧部と、装着完了時に前記先端部を受け容れて前記突出姿勢に維持する受穴と、を備えることを特徴とする。
請求項４に記載の発明は、前記受電部を前記給電台に装着したときに、前記キャリングケースを厚さ方向に挟む転倒防止手段を備えたことを特徴とする。
【０００７】
請求項５に記載の発明は、前記給電台に配置されて前記キャリングケースの着脱方向に沿って伸びるガイド部と、前記受電部に配置されて前記ガイド部に案内される被ガイド部と、を備えたことを特徴とする。
請求項６に記載の発明は、前記キャリングケースの内部に、前記受電端子と導通し、且つ前記電気機器のプラグが接続されるコンセントを備えたことを特徴とする。
【発明の効果】
【０００８】
本発明によれば、キャリングケースを給電台に装着するだけで、受電部に設けた受電端子が給電台に設けた給電端子と導通するので、電気機器をキャリングケースから取り出すことなく、簡易な操作で電気機器に給電することができる。
【図面の簡単な説明】
【０００９】
【図１】本発明の第一の実施形態に係る給電システムの概略構成を示した斜視図である。
【図２】ケース本体の内部構造、及び給電台との関係を示す一部透視正面図である。
【図３】受電部と給電台の構成例を示した一部断面図である。
【図４】本発明の第二の実施形態に係る給電システムを示した正面図である。
【図５】（ａ）は受電部を閉止した状態を示す斜視図であり、（ｂ）は受電部を開放した状態を示す斜視図である。
【図６】給電台を示す斜視図である。
【図７】給電台の内部構成を説明する図であり、（ａ）は作動ピンが突出した状態を示し、（ｂ）は作動ピンが没入した状態を示す図である。
【発明を実施するための形態】
【００１０】
〔第一の実施形態〕
本発明に係る給電システムは、電気機器を収容・運搬するキャリングケースと、キャリングケースを電気的・機械的に接続可能な給電台とを備え、キャリングケースを給電台に載置することで、キャリングケース内に収容された電気機器への充電を可能とする点に特徴がある。
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１１】
＜給電システム＞
図１は、本発明の第一の実施形態に係る給電システムの概略構成を示した斜視図である。給電システム１は、ノート型パーソナルコンピュータ（ノート型パソコン）等の電子機器を初めとする電気機器を収容するキャリングケース１００と、キャリングケース１００が着脱自在に装着（載置）されると共に、キャリングケース１００内に収容された電気機器に対して給電する給電台２００とを備える。
なお、以下においては、キャリングケースの運搬時の姿勢（起立姿勢）を基準として、ハンドル１０５が形成された側を上側として説明する。
【００１２】
キャリングケース１００は、概略直方体形状であり、内部にノート型パソコン等を収容するケース本体１０１、ケース本体１０１を開閉する蓋部材１０３、及びケース本体１０１の上面に取り付けられた運搬用のハンドル１０５を備える。
キャリングケース１００は、ハンドル１０５の伸びる方向に沿って伸びる分割線によりケース本体１０１と蓋部材１０３とに二分割されている。なお、以下の説明においてはハンドル１０５の伸びる方向をキャリングケース１００の長手方向として説明する。また、上下方向と長手方向の双方に直交する方向を奥行き方向（又は厚さ方向）とする。
ケース本体１０１と蓋部材１０３は、ヒンジ部として機能する底面（下面）において一体化されており、ケース本体１０１は底面を除く周縁部に配置された線ファスナー１０７により開閉自在に構成されている。
キャリングケース１００は、ケース本体１０１及び蓋部材１０３がナイロン等から形成されたソフトタイプのケースでもよいし、強化プラスチック等から形成されたハードタイプのケースでもよい。
【００１３】
＜ケース本体＞
図２は、ケース本体の内部構造、及び給電台との関係を示す一部透視正面図である。
ケース本体１０１は、電気機器を収容する機器収容部１１１と、電気機器に供給する電力を受電する受電部１２０とを有する。
ケース本体１０１は、機器収容部１１１を複数の空間に分割する可動間仕切１１３、１１３を備えている。本例に示す機器収容部１１１には、可動間仕切１１３、１１３によって、ノート型パソコン３００を収容する機器本体収容部１１５と、ノート型パソコン３００のＡＣアダプタ３０１を収容するアダプタ収容部１１７とが形成されている。
ＡＣアダプタ３０１は、変圧回路・整流回路・安定化電源回路などを備えている。ＡＣアダプタ３０１には、ＡＣアダプタ３０１に交流電力を供給する入力ケーブル３０３と、ＡＣアダプタ３０１から出力される直流電力をノート型パソコン３００に供給する出力ケーブル３０５とが接続されている。入力ケーブル３０３の先端に設けられたプラグ３０７は受電部１２０に接続される。
【００１４】
受電部１２０は、キャリングケース１００を保管するキャビネット内等に設置された給電台２００から電力の供給を受ける部位である。本例に示す受電部１２０はケース本体１０１の底部に配置されており、一部が外部に露出し、配線類を収容した部位がアダプタ収容部１１７内に配置されている。
また、ケース本体１０１の上面には、受電部１２０に電力が供給されていることを示す通電ランプ１０９が配置されている。
【００１５】
＜受電部＞
図３は、受電部と給電台の構成例を示した一部断面図である。
受電部１２０は、ケース本体１０１の底面（外周面）から上方に向けて（ケース本体１０１の内部側に向けて）凹陥するように形成された接続凹所１２１と、接続凹所１２１の最奥部から下方に向けて（開口側に向けて）突出した雄型の受電端子１２３、１２３とを備える。接続凹所１２１は直方体状の空間である。接続凹所１２１の長手方向において対向する２つの内側面１２４、１２４（給電台との対向面）には、出没穴１２５、１２５が貫通形成されている。
受電端子１２３、１２３と内側面１２４、１２４は、給電台２００に対する受電部１２０の装着方向（図中矢印Ａ方向）に沿って伸びている。
また、受電部１２０は、ケース本体１０１の内部に配置されて、出没穴１２５、１２５から先端部１２７ａ、１２７ａを出没自在となるように支持された係止ピン１２７、１２７（作動手段、出没突起）と、係止ピン１２７、１２７を突出姿勢に弾性付勢する弾性付勢部材１２９、１２９とを備える。
【００１６】
係止ピン１２７、１２７は、給電台２００に対するキャリングケース１００の装着方向と交差する方向に進退するように構成されている。係止ピン１２７、１２７は、先端部１２７ａ、１２７ａが出没穴１２５、１２５から接続凹所１２１内に突出した突出姿勢と、先端部１２７ａ、１２７ａが接続凹所１２１から退避してケース本体１０１内に没入した没入姿勢との間で進退する。係止ピン１２７、１２７は、ケース本体１０１内に設けたコイルバネ等の弾性付勢部材１２９、１２９により、常時は突出姿勢に弾性付勢されている。
係止ピン１２７、１２７の先端部１２７ａ、１２７ａは先細りの錘状に形成されており、先端部１２７ａ、１２７ａに対して装着方向に沿った外力が加えられた場合に係止ピン１２７、１２７はケース本体１０１内に没入した没入姿勢となり、外力が取り除かれると接続凹所１２１内に突出した突出姿勢となる。
受電部１２０は、アダプタ収容部１１７側にコンセント１３１を備えている。コンセント１３１には、ノート型パソコン３００のプラグ３０７が接続される。コンセント１３１は、アダプタ収容部１１７内に露出したプラグ差込口１３３、１３３と、受電部１２０内に配置された接続端子１３５、１３５とを備えている。プラグ差込口１３３、１３３はプラグ３０７の導体刃を受電部１２０内に受け容れる。接続端子１３５、１３５は受電端子１２３、１２３と導通しており、受電部１２０内に挿入されたプラグ３０７の導体刃と接触、導通する。
受電端子１２３、１２３に供給された電力は、内部配線１３７及び専用の電源回路を介して通電ランプ１０９にも供給される。通電ランプ１０９は、受電部１２０に電力が供給されている場合に点灯する。
【００１７】
＜給電台＞
給電台２００は、キャリングケース１００の受電部１２０を着脱自在に接続する部位である。給電台２００は、配線類を収容したベース部２０１と、ベース部２０１の上面から突出した角柱状の接続台部２０３を備えている。接続台部２０３は、受電部１２０に嵌合する形状である。
接続台部２０３内には、商用電源に接続されることにより交流電力を受電部１２０に供給する雌型の一対の給電端子２０５（２０５ａ、２０５ｂ）が収容されている。夫々の給電端子２０５ａ、２０５ｂの直上に位置する接続台部２０３の上面には、端子差込口２０７、２０７が貫通形成されている。
端子差込口２０７、２０７は、受電部１２０に設けられた受電端子１２３、１２３を夫々接続台部２０３の内部に受け容れる。また、接続台部２０３内に挿入された受電端子１２３、１２３は、夫々給電端子２０５ａ、２０５ｂと接触、導通する。
接続台部２０３の長手方向において対向する２つの外側面２０８、２０８（押圧部）には、ピン受穴２０９、２０９が貫通形成されている。ピン受穴２０９、２０９は、受電部１２０の係止ピン１２７、１２７を接続台部２０３内に受け容れる。なお、外側面２０８、２０８は、キャリングケース１００の着脱方向（図中矢印Ａ方向）に沿って伸びている。
【００１８】
給電台２００の内部には、一方の給電端子２０５ａへの交流電力の供給を断接するスイッチ２１１が収容されている。本例に示すスイッチ２１１は、通電、非通電を切り替える接点を備えたスイッチ本体２１３と、スイッチ本体２１３を作動させる揺動片２１５とを備える。
スイッチ本体２１３は押圧されることにより、給電端子２０５ａと電圧線２１７ａ間を導通させる接点を有している。
揺動片２１５は、その一端部２１５ａがピン受穴２０９側に配置され、他端部２１５ｂがスイッチ本体２１３側に配置されている。揺動片２１５は、中間部に設けた軸支部２１５ｃを給電台２００の適所によって回動自在に支持されている。揺動片２１５は、軸支部２１５ｃを中心として、実線で示す非通電姿勢と破線で示す通電姿勢との間で揺動する。揺動片２１５は、軸支部２１５ｃに設けたトーションバネ等、弾性付勢部材により、常時は非通電姿勢に弾性付勢されている。
非通電姿勢にあるとき、揺動片２１５の一端部２１５ａはピン受穴２０９を閉止（又はピン受穴２０９側に近接）した状態にあり、揺動片２１５の他端部２１５ｂはスイッチ本体２１３の接点を離間させて給電端子２０５ａと電圧線２１７ａ間を非通電状態とする。通電姿勢にあるとき、揺動片２１５の一端部２１５ａはピン受穴２０９を開放（又はピン受穴２０９から離間）した状態にあり、揺動片２１５の他端部２１５ｂはスイッチ本体２１３の接点を接触させて給電端子２０５ａと電圧線２１７ａ間を通電状態とする。
【００１９】
給電台２００のベース部２０１には、給電端子２０５ａ、２０５ｂに電力を供給する給電ケーブル２１７が収容されている。給電ケーブル２１７の先端には一般家庭用のコンセント（電源）に接続されるプラグ２１９が配置されている。給電端子２０５ａは給電ケーブル２１７の電圧線２１７ａに接続される電圧側端子であり、給電端子２０５ｂは給電ケーブル２１７のアース線２１７ｂに接続されるアース側端子である。図示するスイッチ２１１は、給電ケーブル２１７のうち交流電力の電圧線２１７ａ側のみを断接し、アース線２１７ｂ側を断接しない構成（いわゆる片切りスイッチ）であるが、電圧線２１７ａとアース線２１７ｂの双方を断接する構成（いわゆる両切りスイッチ）としてもよい。
【００２０】
図１に示すように、給電台２００は、ベース部２０１の短手方向の両端部から立設する転倒防止柵２０４、２０４（転倒防止手段）を備えている。転倒防止柵２０４、２０４は、キャリングケース１００を給電台２００に装着したときに、キャリングケース１００の短手方向の両側面に夫々添設される。転倒防止柵２０４、２０４は、キャリングケース１００の短手方向に対向する２側面を支持する（キャリングケース１００を厚さ方向に挟む）ことにより、キャリングケース１００の転倒を防止する。
【００２１】
＜使用方法＞
給電システム１の使用方法について説明する。前提として、キャリングケース１００の機器収容部１１１内にノート型パソコン３００が収容され、ノート型パソコン３００がＡＣアダプタ３０１を介して受電部１２０に接続されているものとする。
給電台２００にキャリングケース１００を載置していないとき、揺動片２１５は非通電姿勢にある。このため、給電台２００のスイッチ２１１はオフとなっており、給電端子２０５ａには電力が供給されない。従って、給電台２００にキャリングケース１００を載置していない状態においては、消費電力の低減、及び感電防止を図ることができる。
キャリングケース１００を給電台２００に載置する過程で、係止ピン１２７、１２７の先端部１２７ａ、１２７ａは、接続台部２０３の上面と外側面２０８、２０８とによって形成される角部（外側面２０８、２０８の上端縁）に当接し、係止ピン１２７、１２７は没入姿勢に変位する。外側面２０８、２０８は、キャリングケース１００を給電台２００に着脱する過程で、キャリングケース１００側に設けた係止ピン１２７、１２７を押圧して没入姿勢に維持する。
出没穴１２５、１２５とピン受穴２０９、２０９は、キャリングケース１００を給電台２００に載置したときに対向する位置に形成されている。従って、キャリングケース１００を給電台２００に載置したとき（装着完了時）に、係止ピン１２７、１２７は、弾性付勢部材１２９、１２９の弾性付勢力により突出姿勢に復帰して、ピン受穴２０９、２０９から接続台部２０３内に進入する。
【００２２】
接続台部２０３内に進入した係止ピン１２７の一方は揺動片２１５の一端部２１５ａを押圧する。揺動片２１５の他端部２１５ｂはスイッチ本体２１３の接点を接触させて、給電端子２０５ａに通電する。即ち、係止ピン１２７はスイッチ２１１を作動させる作動手段として機能する。
キャリングケース１００を給電台２００に載置したとき、受電端子１２３、１２３は端子差込口２０７、２０７から接続台部２０３内に進入して、給電端子２０５ａ、２０５ｂと導通する。受電端子１２３、１２３を介してコンセント１３１に電力が供給されることから、ノート型パソコン３００をキャリングケース１００内に収容した状態であっても、ノート型パソコン３００の充電が可能となる。また、受電端子１２３、１２３を介して電力を供給された通電ランプ１０９が点灯するので、充電が行われていることを外部から目視確認することができる。
キャリングケース１００を給電台２００から離脱させる場合には離脱方向に所定の外力を加えなければ係止ピン１２７、１２７を没入姿勢に変位させることができない。従って、係止ピン１２７、１２７とピン受穴２０９、２０９は、キャリングケース１００が容易に給電台２００から離脱することを防止する離脱防止手段として機能する。
【００２３】
＜効果＞
以上のように、本実施形態によれば、キャリングケースを給電台に載置するだけで、キャリングケース内に収容したノート型パソコンを充電することができる。
また、夜間等の業務時間外においてキャビネット内での施錠保管が義務づけられている場合であっても、給電台を施錠可能なキャビネット内に設置すれば、ノート型パソコンをキャリングケースから取り出すことなく充電を継続することができる。
本例においては、受電部１２０をキャリングケース１００の底面に配置したが、側面に配置してもよい。また、通電ランプ１０９は、キャリングケース１００を給電台２００に載置したときに視認しやすい位置にあればよく、ケース本体１０１の上面以外に配置してもよい。
本例において、係止ピン１２７はスイッチ２１１を作動させるスイッチ作動手段、及びピン受穴２０９内に挿入されることでキャリングケース１００が給電台２００から外れることを防止する離脱防止手段として兼用されるが、スイッチ作動手段と離脱防止手段とを兼用せず、別個の構成として設けてもよい。
【００２４】
〔第二の実施形態〕
本発明の第二の実施形態について説明する。なお、第一の実施形態と同様の構成には同一の符号を付して適宜説明を省略する。
図４は、本発明の第二の実施形態に係る給電システムを示した正面図である。
給電システム２は、キャリングケース１００と給電台４００とを備える。キャリングケース１００に設けられた受電部１４０は、ケース本体１０１の底部、長手方向一端角部に配置されている。給電台４００は概略直方体形状であり、キャリングケース１００に設けられた受電部１４０は給電台４００の外形状に対応する概略直方体形状の空間である接続凹所１４１を備える。
本例においては、キャリングケース１００を長手方向に沿って水平に（図中矢印Ｂ方向に）移動させることによって、受電部１４０に給電台４００を嵌合させることができる。
【００２５】
図５（ａ）は受電部を閉止した状態を示す斜視図であり、（ｂ）は受電部を開放した状態を示す斜視図である。
図５（ｂ）に示すように、受電部１４０は、底面１０１ａと長手方向の一端に位置する側面１０１ｂとに跨がって形成されると共に給電台４００を受け容れる接続凹所１４１と、接続凹所１４１の内側面に形成されて給電台に対するケース本体１０１の着脱方向（長手方向）に沿って伸びる被ガイド部１４３、１４３と、接続凹所１４１の着脱方向の最奥部（最奥面１４５）から着脱方向に沿って突出した雄型の一対の受電端子１４７、１４７を備える。
本例に示す被ガイド部１４３、１４３は、キャリングケース１００の着脱方向に沿って伸びると共に対向する２つの内面に夫々形成された突条からなる。
【００２６】
図５（ａ）、（ｂ）に示すように、ケース本体１０１は、接続凹所１４１を自在に開閉するフラップ状の蓋部材１５１、接続凹所１４１を閉止した状態に蓋部材１５１を維持する面ファスナー１５３、１５５、及び蓋部材１５１をケース本体１０１の外面に沿ってスライド可能、且つ離脱不能に支持する押さえ片１５７を備えている。
蓋部材１５１は、ナイロン等、柔軟性のある材料から構成されている。蓋部材１５１は、ケース本体１０１の底面１０１ａと側面１０１ｂとに跨がって接続凹所１４１を閉止する閉止位置と、ケース本体１０１の側面１０１ｂ側に位置して接続凹所１４１を開放する開放位置との間でスライドする。蓋部材１５１は、その長手方向をスライド方向とする。
蓋部材１５１の長手方向（移動方向）の各端部には中間部よりも幅（短手方向の長さ）の大きい幅広部１５１ａ、１５１ａが形成されている。押さえ片１５７はケース本体１０１の側面に配置されており、蓋部材１５１の長手方向中間部をケース本体１０１との間でスライド可能に保持する。また、押さえ片１５７は、蓋部材１５１の長手方向中間部の通過を許容するが幅広部１５１ａ、１５１ａの通過を禁止することで、蓋部材１５１がケース本体１０１から脱落することを防止する。
ケース本体１０１の底面であって、接続凹所１４１よりも長手方向の中間部寄りには、接続凹所１４１に隣接して面ファスナー１５３が配置されている。また、閉止位置において面ファスナー１５３と対向する蓋部材１５１の幅広部１５１ａには、面ファスナー１５３に対して自在に着脱する面ファスナー１５５が配置されている。
【００２７】
図６は、給電台を示す斜視図である。
給電台４００は、外側面に形成されてキャリングケース１００の着脱方向に沿って伸びるガイド部４０１、４０１と、図５（ｂ）に示す接続凹所１４１の最奥面１４５との対向面に形成されて受電端子１４７、１４７を夫々受け容れる端子差込口４０３、４０３を備える。
給電台４００は、第一の実施形態と同様に概略直方体状であるが、その他の形状であってもよい。
本例に示すガイド部４０１、４０１は、キャリングケース１００の着脱方向に沿って伸びると共に対向する２つの側面に夫々形成された凹条（溝状のガイド）からなる。ガイド部４０１、４０１は給電台４００に対するキャリングケース１００の着脱時に被ガイド部１４３、１４３と係合して、キャリングケース１００をガイド部４０１、４０１に沿って案内する。
【００２８】
図７は、給電台の内部構成を説明する図であり、（ａ）は作動ピンが突出した状態を示し、（ｂ）は作動ピンが没入した状態を示す図である。なお、図７（ａ）には給電台の一部断面上面図と図４のＢ矢視図を示し、（ｂ）には一部断面上面図を示している。
給電台４００の内部には、端子差込口４０３、４０３から挿入された受電端子１４７、１４７を受け容れる雌型の給電端子４０５、４０５と、給電端子４０５、４０５への交流電力の供給を断接するスイッチ４１１を備える。
図示するスイッチ４１１は、給電ケーブル２１７の電圧線とアース線の双方を断接する両切りスイッチである。
スイッチ４１１は、給電端子４０５、４０５と夫々導通接続された固定電極４１３、４１３と、給電ケーブル２１７の各線（電圧線及びアース線）と夫々導通接続された可動電極４１５、４１５と、先端部４１７ａ、４１７ａがガイド部４０１、４０１内において出没すると共に、先端部４１７ａ、４１７ａが給電台４００の内部に没入したときに可動電極４１５、４１５を固定電極４１３、４１３に接触させる作動ピン４１７、４１７と、を備える。
【００２９】
作動ピン４１７、４１７は、先端部４１７ａ、４１７ａがガイド部４０１、４０１内に突出した突出姿勢（図７（ａ））と、先端部４１７ａ、４１７ａがガイド部４０１、４０１から退避して給電台４００の内部に没入した没入姿勢（図７（ｂ））との間で進退する。作動ピン４１７、４１７は、給電台４００の内部に設けたコイルバネ等の弾性付勢部材４１９、４１９により、常時は突出方向に弾性付勢されている。
作動ピン４１７、４１７の先端部４１７ａ、４１７ａは先細りの錘状に形成されている。作動ピン４１７、４１７は、被ガイド部１４３、１４３（図５（ｂ）参照）がガイド部４０１、４０１に沿って案内される過程で被ガイド部１４３、１４３によって押圧されて没入姿勢となる。また、受電部１４０が給電台４００から取り外された場合には、作動ピン４１７、４１７を押圧する外力が取り除かれるので、弾性付勢部材４１９、４１９の弾性付勢力により突出姿勢となる。
可動電極４１５、４１５は導電性の板バネから構成され、作動ピン４１７、４１７が図７（ａ）に示す突出姿勢にあるときには固定電極４１３、４１３から離間し、作動ピン４１７、４１７が図７（ｂ）に示す没入姿勢にあるときには作動ピン４１７、４１７により押圧されて固定電極４１３、４１３に接触、導通する。
また、受電部１４０が給電台４００に嵌合されて、受電端子１４７、１４７が給電端子４０５、４０５と導通するときには、可動電極４１５、４１５が固定電極４１３、４１３と導通して、電力が給電端子４０５、４０５から受電端子１４７、１４７に供給される。
【００３０】
＜効果＞
本実施形態に係る給電システムのように、給電台と受電部に、対となるガイド部４０１及び被ガイド部１４３を設けることによって、受電端子１２３を給電端子２０５まで導くことができ、両端子の接触・導通を確実にすることができる。また、被ガイド部１４３をガイド部４０１によって拘束することができるので、キャリングケース１００を給電台２００に載置した場合には、ガイド部４０１及び被ガイド部１４３をキャリングケース１００の転倒防止手段として機能させることができる。
本例において受電部１４０の着脱方向は、ケース本体１０１の底面の長手方向に沿った方向であるが、底面に対して直交する方向やその他の方向を着脱方向としてもよい。また、ガイド部４０１及び被ガイド部１４３の形成位置や形成数も上記に限定されない。
【００３１】
〔本発明の実施態様例と作用、効果のまとめ〕
＜第一の実施態様＞
本態様は、電気機器（ノート型パソコン３００）を収容する機器収容部１１１、及び電気機器に供給する電力を受電する受電部１２０を有したキャリングケース１００と、受電部が着脱自在に装着される給電台２００と、を備えた給電システム１であって、給電台は、電源に接続される給電端子２０５、及び給電端子への電力を断接するスイッチ２１１を備え、受電部は、給電台に装着されたときにスイッチを作動させて給電端子に通電させる作動手段（係止ピン１２７）、及び給電端子と導通する受電端子１２３を備えたことを特徴とする。
【００３２】
電気機器の一例であるノート型パソコンを外出先で使用する場合、外出先でＡＣ１００Ｖ電源を確保できなければ内蔵バッテリーにより駆動する必要がある。内蔵バッテリーを使用した場合には充電する必要がある。
従来、ノート型パソコンに充電するためには、ノート型パソコンをキャリングケースから取り出してＡＣ１００Ｖ電源に接続する必要があり、手間が掛かるという問題があった。また、ノート型パソコンが会社の備品であり、且つセキュリティの関係から業務時間外は施錠できるキャビネットに保管することが義務づけられているような場合、外出先で使用されたノート型パソコンを充電できる時間は、社員が帰社してから退社するまでの時間となり、十分な充電時間を確保できないこととなる。内蔵バッテリーの充電が不十分であると、外出先でノート型パソコンを駆動できない、といった問題が生ずる虞がある。
本態様によれば、キャリングケースを給電台に装着するだけで、キャリングケースの受電部に設けた受電端子が給電台に設けた給電端子とが導通するので、電気機器をキャリングケースから取り出すことなく、簡易な操作で電気機器に給電することができる。また、給電台をキャビネット内に設置すれば、キャリングケースをキャビネット内の所定の位置に収納するだけで、ノート型パソコンに充電できるようになり、充電不足により発生する不具合を未然に防止することができる。
【００３３】
＜第二の実施態様＞
本態様に係る給電システム１において、給電端子は、電源の電圧線２１７ａに接続される電圧側端子（給電端子２０５ａ）と、電源のアース線２１７ｂに接続されるアース側端子（給電端子２０５ｂ）とを含み、スイッチ２１１は、少なくとも電圧線側を断接することを特徴とする。
スイッチは給電端子への電力を断接する手段である。本態様に示すスイッチは、キャリングケースが給電台に装着された場合に給電端子に通電し、キャリングケースが給電台から離脱した場合に給電端子を停電する。本態様においては、電気機器に給電する場合に給電端子に通電することで感電事故の発生を防止する。
ここで、電源が交流電源の場合、２つの給電端子の一方は電圧線側と導通し、他方はアース線側と導通する。電圧線側と導通した端子に接触すると感電の虞があるが、アース線側と導通した端子に接触しても感電の虞はないため、スイッチは電圧線側のみを断接すれば感電事故の発生を防止できる。しかし、一般家庭用のコンセント及びプラグを介して商用電源と接続する場合、電圧線とアース線が使い分けられるとは限らない。そのため、スイッチは、電圧線側だけではなくアース線側も断接する構成であることが望ましい。
【００３４】
＜第三の実施態様＞
本態様に係る給電システム１において、給電台と受電部の一方（受電部１００）は、他方との対向面（内側面１２４、１２４）に設けた出没穴１２５から先端部１２７ａを出没自在となるように支持された出没突起（係止ピン１２７）と、出没突起を突出姿勢に弾性付勢する弾性付勢部材１２９、を備え、給電台と受電部の他方（給電台２００）に配置されて、着脱過程で出没突起を押圧して没入姿勢に変位させる押圧部（外側面２０８、２０８）と、装着完了時に先端部を受け容れて突出姿勢に維持する受穴（ピン受穴２０９）と、を備えることを特徴とする。
【００３５】
例えば、出没突起の先端部を先細りの錘状にすることによって、出没突起の軸方向と交差する方向に外力を加えた場合に、弾性付勢部材の弾性付勢力に抗して出没突起を出没穴内に没入させることが可能となる。
従って、突出姿勢にある出没突起を着脱過程で没入姿勢に変位させることができ、装着完了時には先端部を受穴内に突出させることで出没突起を突出姿勢に変位させることができる。キャリングケース１００を給電台から取り外す場合には、出没突起を没入姿勢に変位させうる外力を加える必要があるので、キャリングケースが給電台から容易に離脱することを防止できる。
【００３６】
＜第四の実施態様＞
本態様に係る給電システム１は、受電部１２０を給電台２００に装着したときに、キャリングケース１００を厚さ方向に挟む転倒防止手段（転倒防止柵２０４）を備えていることを特徴とする。
転倒防止手段によってキャリングケースの対向する２面を支持することにより、給電台に装着した場合のキャリングケースの転倒を防止して、受電端子１２５が給電端子２０５から離脱することを防止する。
【００３７】
＜第五の実施態様＞
本態様に係る給電システム２は、給電台４００に配置されてキャリングケース１００の着脱方向に沿って伸びるガイド部４０１と、受電部１４０に配置されてガイド部に案内される被ガイド部１４３と、を備えたことを特徴とする。
対となるガイド部及び被ガイド部を設けることによって、受電端子１２３を給電端子２０５まで導くことができ、両端子の接触・導通を確実にすることができる。また、被ガイド部をガイド部によって拘束することができるので、キャリングケースを給電台に接続した場合には、ガイド部及び被ガイド部をキャリングケースの転倒防止手段として機能させることができる。
【００３８】
＜第六の実施態様＞
本態様に係る給電システム１は、キャリングケース１００の内部に、受電端子１２３と導通し、且つ電気機器（ノート型パソコン３００）のプラグ３０７が接続されるコンセント１３１を備えたことを特徴とする。
本態様に係る給電システムはキャリングケース内にコンセントを備えたので、プラグを備えた各種の電気機器に対して、キャリングケース内に収容した状態でプラグを介した給電が可能となる。なお、本実施態様においては、コンセントとこれに対応するプラグによる電気機器に給電する構成であるが、上記以外の給電端子・受電端子を用いて電気機器に給電する構成であってもよい。
【符号の説明】
【００３９】
１、２…給電システム、１００…キャリングケース、１０１…ケース本体、１０１ａ…底面、１０１ｂ…側面、１０３…蓋部材、１０５…ハンドル、１０７…線ファスナー、１０９…通電ランプ、１１１…機器収容部、１１３…可動間仕切、１１５…機器本体収容部、１１７…アダプタ収容部、１２０…受電部、１２１…接続凹所、１２３…受電端子、１２４…内側面、１２５…出没穴、１２７…係止ピン、１２７ａ…先端部、１２９…弾性付勢部材、１３１…コンセント、１３３…プラグ差込口、１３５…接続端子、１３７…内部配線、１４０…受電部、１４１…接続凹所、１４３…被ガイド部、１４５…最奥面、１４７…受電端子、１５１…蓋部材、１５１ａ…幅広部、１５３…面ファスナー、１５５…面ファスナー、１５７…押さえ片、２００…給電台、２０１…ベース部、２０３…接続台部、２０４…転倒防止柵、２０５、２０５ａ、２０５ｂ…給電端子、２０７…端子差込口、２０８…外側面、２０９…ピン受穴、２１１…スイッチ、２１３…スイッチ本体、２１５…揺動片、２１５ａ…一端部、２１５ｂ…他端部、２１５ｃ…軸支部、２１７…給電ケーブル、２１７ａ…電圧線、２１７ｂ…アース線、２１９…プラグ、３００…ノート型パソコン、３０１…ＡＣアダプタ、３０３…入力ケーブル、３０５…出力ケーブル、３０７…プラグ、４００…給電台、４０１…ガイド部、４０３…端子差込口、４０５…給電端子、４１１…スイッチ、４１３…固定電極、４１５…可動電極、４１７…作動ピン、４１７ａ…先端部、４１９…弾性付勢部材
【図１】
2018117450.tif 000003
【図２】
2018117450.tif 000004
【図３】
2018117450.tif 000005
【図４】
2018117450.tif 000006
【図５】
2018117450.tif 000007
【図６】
2018117450.tif 000008
【図７】
2018117450.tif 000009